(57)【要約】【課題】楽曲データを有効に活用すること。【解決手段】データ処理装置１００は、取得部１０１、抽出部１０２、変換部１０３、出力部１０４、学習部１０５によって構成される。取得部１０１は、楽曲データを取得する。抽出部１０２は、取得部１０１によって取得された楽曲データから当該楽曲の特徴部分の部分楽曲データを抽出する。変換部１０３は、抽出部１０２によって抽出された部分楽曲データを外部の端末１１０で再生可能な形式に変換する。出力部１０４は、変換部１０３によって変換された部分楽曲データを端末１１０に出力する。学習部１０５は、端末１１０のユーザの楽曲に対する嗜好を学習する。端末１１０は、たとえば、携帯電話端末である。【選択図】図１
2007241123.tif 000002
【特許請求の範囲】
【請求項１】
楽曲データを取得する取得手段と、
前記取得手段によって取得された楽曲データから当該楽曲の特徴部分の部分楽曲データを抽出する抽出手段と、
前記抽出手段によって抽出された部分楽曲データを外部の端末で再生可能な形式に変換する変換手段と、
前記変換手段によって変換された部分楽曲データを前記端末に出力する出力手段と、
を備えることを特徴とするデータ処理装置。
【請求項２】
前記変換手段は、携帯電話端末の着信音として再生可能な形式に前記部分楽曲データを変換し、
前記出力手段は、前記携帯電話端末に前記部分楽曲データを出力することを特徴とする請求項１に記載のデータ処理装置。
【請求項３】
前記抽出手段は、前記楽曲データのキー情報、ビート情報、コード情報、音量情報のうち少なくともいずれか一つを用いて前記部分楽曲データを抽出することを特徴とする請求項１または２に記載のデータ処理装置。
【請求項４】
前記端末のユーザの前記楽曲に対する嗜好を学習する学習手段と、を備え、
前記取得手段は、前記学習手段による学習結果にもとづいて、前記ユーザの嗜好に適合する楽曲を取得することを特徴とする請求項１〜３のいずれか一つに記載のデータ処理装置。
【請求項５】
楽曲データを取得する取得工程と、
前記取得工程によって取得された楽曲データから当該楽曲の特徴部分の部分楽曲データを抽出する抽出工程と、
前記抽出工程によって抽出された部分楽曲データを外部の端末で再生可能な形式に変換する変換工程と、
前記変換工程によって変換された部分楽曲データを前記端末に出力する出力工程と、
を含んだことを特徴とするデータ処理方法。
【請求項６】
請求項５に記載のデータ処理方法をコンピュータに実行させることを特徴とするデータ処理プログラム。
【請求項７】
請求項６に記載のデータ処理プログラムを記録したコンピュータに読み取り可能な記録媒体。
【発明の詳細な説明】
【技術分野】
【０００１】
本発明は、楽曲データを処理するデータ処理装置、データ処理方法、データ処理プログラムおよび記録媒体に関する。ただし、本発明の利用は、上述したデータ処理装置、データ処理方法、データ処理プログラムおよび記録媒体に限られない。
【背景技術】
【０００２】
従来、携帯電話機などの携帯通信端末においては、通話着信時などに発生させる楽曲データ（以下、着信メロディという）を、コンテンツプロバイダー（楽曲データ提供者）のＷｅｂサイトからダウンロードするサービスがある。
【０００３】
このようなサービスでは、たとえば、通信端末に楽曲データを提供する楽曲データ変換・配信サーバに通信ネットワークを介して接続される楽曲データ送信装置は、演奏情報入力装置からのリアルタイム演奏情報を第１形式の楽曲データとして楽曲データ記録部に記録する。楽曲データおよびユーザインターフェース部からの送付先メールアドレスや著作権情報は、通信部からサーバにアップロードされる。サーバは、楽曲データを楽曲データ記録部に蓄積し、著作権情報にもとづいて著作権処理をおこない、携帯通信端末メールアドレスにダウンロードＵＲＬを送信する。当該メールアドレスの携帯通信端末からのアクセスに対し、楽曲データを第２形式の楽曲データに変換し、当該携帯通信端末に配信する（たとえば、下記特許文献１参照。）。
【０００４】
【特許文献１】特開２００３−１７７７４８号公報
【発明の開示】
【発明が解決しようとする課題】
【０００５】
しかしながら、上述した従来技術によれば、着信メロディを入手するには、コンテンツプロバイダーが運営する着信メロディ専用のＷｅｂサイトで楽曲の購入手続きをおこない、ネットワークを介して着信メロディデータをダウンロードしなければならない。これは、入手したい楽曲の楽曲データを既にユーザが所有している場合（たとえば、ＣＤやＭＰ３形式のデータを通常の視聴用に購入している場合）であっても同様である。このため、ユーザが所有している楽曲データを有効に活用することができないという問題点が一例として挙げられる。
【０００６】
一般に、着信メロディの入手にはコンテンツ提供料として料金が発生する。また、着信メロディデータの受信にも通信費が発生する。このため、ユーザに取っては、１つの楽曲を楽しむために端末ごとに料金が発生してしまい、楽曲データおよび着信メロディデータなど、コンテンツデータに対する購入意欲が低下してしまうという問題点が一例として挙げられる。
【課題を解決するための手段】
【０００７】
上述した課題を解決し、目的を達成するため、請求項１の発明にかかるデータ処理装置は、楽曲データを取得する取得手段と、前記取得手段によって取得された楽曲データから当該楽曲の特徴部分の部分楽曲データを抽出する抽出手段と、前記抽出手段によって抽出された部分楽曲データを外部の端末で再生可能な形式に変換する変換手段と、前記変換手段によって変換された部分楽曲データを前記端末に出力する出力手段と、を備えることを特徴とする。
【０００８】
また、請求項５の発明にかかるデータ処理方法は、楽曲データを取得する取得工程と、前記取得工程によって取得された楽曲データから当該楽曲の特徴部分の部分楽曲データを抽出する抽出工程と、前記抽出工程によって抽出された部分楽曲データを外部の端末で再生可能な形式に変換する変換工程と、前記変換工程によって変換された部分楽曲データを前記端末に出力する出力工程と、を含んだことを特徴とする。
【０００９】
また、請求項６の発明にかかるデータ処理プログラムは、請求項５に記載のデータ処理方法をコンピュータに実行させることを特徴とする。
【００１０】
また、請求項７の発明にかかる記録媒体は、請求項６に記載のデータ処理プログラムを記録したコンピュータに読み取り可能なことを特徴とする。
【発明を実施するための最良の形態】
【００１１】
以下に添付図面を参照して、この発明にかかるデータ処理装置、データ処理方法、データ処理プログラムおよび記録媒体の好適な実施の形態を詳細に説明する。
【００１２】
（実施の形態）
はじめに、実施の形態にかかるデータ処理装置１００の機能的構成について説明する。図１は、実施の形態にかかるデータ処理装置の機能的構成を示すブロック図である。データ処理装置１００は、取得部１０１、抽出部１０２、変換部１０３、出力部１０４、学習部１０５によって構成される。
【００１３】
取得部１０１は、楽曲データを取得する。取得部１０１は、たとえば、記録媒体に記録された楽曲データを読み出す。また、取得部１０１は、ネットワークを介して楽曲データをダウンロードする。
【００１４】
抽出部１０２は、取得部１０１によって取得された楽曲データから当該楽曲の特徴部分の部分楽曲データを抽出する。楽曲の特徴部分とは、たとえば、楽曲の中でもっとも印象的な部分、いわゆる「サビ」の部分である。抽出部１０２は、たとえば、楽曲データのキー情報、ビート情報、コード情報、音量情報のうち少なくともいずれか一つを用いて部分楽曲データを抽出する。
【００１５】
変換部１０３は、抽出部１０２によって抽出された部分楽曲データを外部の端末１１０で再生可能な形式に変換する。変換部１０３は、たとえば、携帯電話端末の着信音として再生可能な形式に部分データを変換する。
【００１６】
出力部１０４は、変換部１０３によって変換された部分楽曲データを端末１１０に出力する。出力部１０４は、たとえば、通信ケーブルで接続された端末１１０に部分楽曲データを出力する。また、出力部１０４は赤外線通信やＢｌｕｅｔｏｏｔｈ（登録商標）などによって、端末１１０に部分楽曲データを出力してもよい。
【００１７】
学習部１０５は、端末１１０のユーザの楽曲に対する嗜好を学習する。学習部１０５は、たとえば、利用頻度の高い楽曲データの曲調などから、ユーザの嗜好を学習する。また、たとえば、楽曲データの利用履歴と、周囲の状況（天気や混雑状況など）とを関連づけて、所定のシチュエーションの場合にユーザが好んで利用する楽曲データを解析する。
【００１８】
学習部１０５によってユーザの嗜好の学習がおこなわれた場合、取得部１０１は、学習部１０５による学習結果にもとづいて、ユーザの嗜好に適合する楽曲を取得する。
【００１９】
つぎに、データ処理装置１００の楽曲データ処理について説明する。図２は、データ処理装置の楽曲データ処理手順を示すフローチャートである。図２のフローチャートにおいて、データ処理装置１００は、まず、取得部１０１によって楽曲データを取得する（ステップＳ２０１）。このとき、学習部１０５による学習結果にもとづいて、ユーザの嗜好に適合する楽曲を取得することとしてもよい。
【００２０】
つぎに、抽出部１０２によって、楽曲データの特徴部分である部分楽曲データを抽出する（ステップＳ２０２）。つづいて、変換部１０３によって、部分楽曲データを外部の端末１１０で再生可能な形式に変換する（ステップＳ２０３）。そして、変換したデータを外部の端末１１０に出力して（ステップＳ２０４）、本フローチャートによる処理を終了する。
【００２１】
以上説明したように、データ処理装置１００によれば、楽曲の特徴部分の部分楽曲データを、外部の端末１１０で再生可能な形式に変換し、外部の端末１１０に出力する。これにより、楽曲データのうち特徴的な部分のデータを外部の端末１１０で利用することができ、楽曲データを有効に利用することができる。特に、携帯電話端末の着信音として利用する場合、既に所有している楽曲データを用いて着信音を得ることができ、着信音用の楽曲データをあらたに購入する必要がない。
【００２２】
また、楽曲データのキー情報、ビート情報、コード情報、音量情報のうち少なくともいずれか一つを用いて部分楽曲データを抽出することによって、より的確に楽曲データの特徴部分を抽出することができる。また、楽曲データのキー情報、ビート情報、コード情報、音量情報は、学習部１０５によるユーザの楽曲に対する嗜好の学習にも用いることができる。
【００２３】
さらに、ユーザの楽曲に対する嗜好を学習することによって、ユーザの嗜好に適合した部分楽曲データを提供することができると同時に、ユーザにとって意外性のある部分楽曲データを提供することができる。
【実施例】
【００２４】
（ナビゲーション装置３００の周辺機器構成）
つぎに、上述した実施の形態にかかるデータ処理装置１００の実施例について説明する。以下の実施例においては、データ処理装置１００を、記録媒体部分を着脱可能なナビゲーション装置３００に適用した場合について説明する。
【００２５】
図３は、実施例にかかるナビゲーション装置の周辺機器構成を示す説明図である。ナビゲーション装置３００は、ナビゲーション本体部３１０と記録ユニット３２０とによって構成される。
【００２６】
ナビゲーション本体部３１０は、車両に設置され、固定部３１０ａと、表示部３１０ｂを有している。固定部３１０ａには、記録ユニット３２０を装着可能な装着用スロット３１０ｃが設けられている。この装着用スロット３１０ｃの内部には、記録ユニット３２０に設けられたコネクタに対応して接続用のコネクタ（不図示）が設けられている。
【００２７】
また、ナビゲーション本体部３１０は、携帯電話端末３５０と接続することができる。ナビゲーション本体部３１０と携帯電話端末３５０との接続は、たとえば、通信ケーブルや赤外線通信、Ｂｌｕｅｔｏｏｔｈ（登録商標）などを用いることができる。
【００２８】
記録ユニット３２０は、車両に設置されるナビゲーション本体部３１０、あるいは、ユーザの自宅に設置されるリビングユニット３３０に接続することができる。記録ユニット３２０は、矩形状の筐体で構成され、背面にはコネクタからなる接続部（不図示）が設けられている。接続部のコネクタには、接続している機器からの各種の情報を取得するための各種Ｉ／Ｆが設けられている。また、記録ユニット３２０の前面には各種Ｉ／Ｆと開口形成されたカードスロット３２０ａが設けられている。
【００２９】
リビングユニット３３０には、記録ユニット３２０を装着可能な装着用スロット３３０ａが設けられている。この装着用スロット３３０ａの内部には、記録ユニット３２０のコネクタに対応して接続用のコネクタが設けられている。リビングユニット３３０は、ＰＣ３６０と接続されており、リビングユニット３３０を操作することによって、記録ユニット３２０とＰＣ３６０との間で、データの授受をおこなうことができる。
【００３０】
リビングユニット３３０には、この他にもオーディオ装置やＴＶなどの映像表示装置を接続することができ、これらの機器と記録ユニット３２０との間でデータの授受をおこなうことができる。
【００３１】
なお、たとえば、カードスロット３２０ａにネットワークカード（不図示）を差し込み、後述するＰＣ３６０との間を、カードスロット３２０ａを用いてＬＡＮやＵＳＢで直接接続させ、記録ユニット３２０とＰＣ３６０との間で直接データを送受信することもできる。
【００３２】
（ナビゲーション装置３００のハードウェア構成）
つぎに、ナビゲーション装置３００のハードウェア構成について説明する。図４は、ナビゲーション装置のハードウェア構成を示すブロック図である。なお、以下の説明では、ナビゲーション本体部３１０と記録ユニット３２０とは、一体のものとして説明する。
【００３３】
図４において、ナビゲーション装置３００は、ＣＰＵ４０１と、ＲＯＭ４０２と、ＲＡＭ（メモリ）４０３と、磁気ディスクドライブ４０４と、磁気ディスク４０５と、光ディスクドライブ４０６と、光ディスク４０７と、音声Ｉ／Ｆ（インターフェース）４０８と、マイク４０９と、スピーカ４１０と、入力デバイス４１１と、映像Ｉ／Ｆ４１２と、カメラ４１３と、ディスプレイ４１４と、通信Ｉ／Ｆ４１５と、ＧＰＳユニット４１６と、各種センサ４１７、外部接続用Ｉ／Ｆ４１８とを備えている。また、各構成部４０１〜４１８はバス４２０によってそれぞれ接続されている。
【００３４】
まず、ＣＰＵ４０１は、ナビゲーション装置３００の全体の制御を司る。ＲＯＭ４０２は、ブートプログラム、通信プログラム、データベース作成プログラム、データ解析プログラムなどのプログラムを記録している。ＲＡＭ４０３は、ＣＰＵ４０１のワークエリアとして使用される。
【００３５】
磁気ディスクドライブ４０４は、ＣＰＵ４０１の制御に従って磁気ディスク４０５に対するデータの読み取り／書き込みを制御する。磁気ディスク４０５は、磁気ディスクドライブ４０４の制御で書き込まれたデータを記録する。磁気ディスク４０５としては、たとえば、ＨＤ（ハードディスク）やＦＤ（フレキシブルディスク）を用いることができる。
【００３６】
光ディスクドライブ４０６は、ＣＰＵ４０１の制御に従って光ディスク４０７に対するデータの読み取り／書き込みを制御する。光ディスク４０７は、光ディスクドライブ４０６の制御に従ってデータが読み出される着脱自在な記録媒体である。光ディスク４０７は、書き込み可能な記録媒体を利用することもできる。また、この着脱可能な記録媒体として、光ディスク４０７のほか、ＭＯ、メモリカードなどであってもよい。
【００３７】
なお、記録ユニット３２０は、磁気ディスク４０５、具体的にはＨＤによって構成される。ただし、記録ユニット３２０を取り外した状態のナビゲーション本体部３１０にも、磁気ディスク４０５を設けてもよい。
【００３８】
記録ユニット３２０に記録される情報の他の一例として、経路探索・経路誘導などに用いる地図データが挙げられる。地図データは、建物、河川、地表面などの地物（フィーチャ）を表す背景データと、道路の形状を表す道路形状データとを有しており、ディスプレイ４１４の表示画面において２次元または３次元に描画される。ナビゲーション装置３００が経路誘導中の場合は、地図データと後述するＧＰＳユニット４１６によって取得された自車の現在地点とが重ねて表示されることとなる。
【００３９】
記録ユニット３２０に記録される情報の他の一例として、音楽ＣＤなどから録音された楽曲データが挙げられる。記録ユニット３２０に複数の楽曲データを録音しておくことによって、複数の音楽ＣＤを持ち運ぶことなく楽曲データを利用することができる。また、複数のＣＤの楽曲をプログラム再生するなど、より自由に楽曲を楽しむことができる。
【００４０】
音声Ｉ／Ｆ４０８は、音声入力用のマイク４０９および音声出力用のスピーカ４１０に接続される。マイク４０９に受音された音声は、音声Ｉ／Ｆ４０８内でＡ／Ｄ変換される。また、スピーカ４１０からは音声が出力される。なお、マイク４０９から入力された音声は、音声データとして磁気ディスク４０５あるいは光ディスク４０７に記録可能である。
【００４１】
入力デバイス４１１は、文字、数値、各種指示などの入力のための複数のキーを備えたリモコン、キーボード、マウス、タッチパネルなどが挙げられる。さらに、入力デバイス４１１は、デジタルカメラや携帯電話端末などの他の情報処理端末を接続し、データの入出力をおこなうことができる。
【００４２】
映像Ｉ／Ｆ４１２は、映像入力用のカメラ４１３および映像出力用のディスプレイ４１４と接続される。映像Ｉ／Ｆ４１２は、具体的には、たとえば、ディスプレイ４１４全体の制御をおこなうグラフィックコントローラと、即時表示可能な画像情報を一時的に記録するＶＲＡＭ（Ｖｉｄｅｏ  ＲＡＭ）などのバッファメモリと、グラフィックコントローラから出力される画像データにもとづいて、ディスプレイ４１４を表示制御する制御ＩＣなどによって構成される。
【００４３】
カメラ４１３は、車両内外の映像を撮像し、画像データとして出力する。カメラ４１３で撮像された画像は、画像データとして磁気ディスク４０５あるいは光ディスク４０７に記録可能である。ディスプレイ４１４には、アイコン、カーソル、メニュー、ウインドウ、あるいは文字や画像などの各種データが表示される。このディスプレイ４１４は、たとえば、ＣＲＴ、ＴＦＴ液晶ディスプレイ、プラズマディスプレイなどを採用することができる。
【００４４】
通信Ｉ／Ｆ４１５は、無線を介してネットワークに接続され、ナビゲーション装置３００とＣＰＵ４０１とのインターフェースとして機能する。通信Ｉ／Ｆ４１５は、さらに、無線を介してインターネットなどの通信網に接続され、この通信網とＣＰＵ４０１とのインターフェースとしても機能する。通信網には、ＬＡＮ、ＷＡＮ、公衆回線網や携帯電話網などがある。
【００４５】
ＧＰＳユニット４１６は、ＧＰＳ衛星からの電波を受信し、車両の現在地点（ナビゲーション装置３００の現在地点）を示す情報を出力する。ＧＰＳユニット４１６の出力情報は、後述する各種センサ４１７の出力値とともに、ＣＰＵ４０１による車両の現在地点の算出に際して利用される。現在地点を示す情報は、たとえば緯度・経度、高度などの、地図データ上の１点を特定する情報である。
【００４６】
各種センサ４１７は、車速センサや加速度センサ、角速度センサなどの、車両の位置や挙動を判断することが可能な情報を出力する。各種センサ４１７の出力値は、ＣＰＵ４０１による現在地点の算出や、速度や方位の変化量の測定に用いられる。
【００４７】
外部接続用Ｉ／Ｆ４１８は、赤外線ポートやＢｌｕｅｔｏｏｔｈ（登録商標）通信ポート、ＵＳＢポートなど、外部の機器と接続するためのインターフェース類である。外部接続用Ｉ／Ｆ４１８は、たとえば、携帯電話端末３５０との接続に用いられる。また、たとえば、携帯音楽再生装置などとの接続に用いられる。
【００４８】
また、実施の形態にかかるデータ処理装置１００の構成のうち、取得部１０１は磁気ディスクドライブ４０４、光ディスクドライブ４０６、通信Ｉ／Ｆ４１５によって、抽出部１０２、変換部１０３、学習部１０５はＣＰＵ４０１によって、出力部１０４は外部通信用Ｉ／Ｆ４１８によって、それぞれの機能を実現する。
【００４９】
（ナビゲーション装置３００による着信メロディ生成処理）
つぎに、ナビゲーション装置３００による着信メロディ生成処理について説明する。ナビゲーション装置３００は、記録ユニット３２０に記録されている楽曲データを用いて、携帯電話端末３５０の着信メロディを生成する。これにより、記録ユニット３２０に記録されている楽曲データを、より有効に活用することができる。なお、本処理は、リビングユニット３３０に接続されたＰＣ３６０でおこなうこともできる。この場合、リビングユニット３３０に接続した記録ユニット３２０、または、ＰＣ３６０に記録された楽曲データから着信メロディを生成する。
【００５０】
図５は、ナビゲーション装置による着信メロディ生成処理の手順を示すフローチャートである。図５のフローチャートにおいて、ナビゲーション装置３００のＣＰＵ４０１は、まず、ユーザから着信メロディの生成が指示されるまで待機する（ステップＳ５０１：Ｎｏのループ）。着信メロディの生成が指示されると（ステップＳ５０１：Ｙｅｓ）、ＣＰＵ４０１は、楽曲選択画面を表示し（ステップＳ５０２）、楽曲データが指定されたか否かを判断する（ステップＳ５０３）。
【００５１】
このとき、ユーザは、ビゲーション装置３００の記録ユニット３２０に記録されている楽曲データ、または、ナビゲーション本体部３１０に接続された携帯楽曲再生装置などに記録されている楽曲データを指定する。また、ＰＣ３６０で本処理をおこなっている場合は、ＰＣ３６０に記録されている楽曲データを指定することもできる。
【００５２】
ＣＰＵ４０１は、楽曲データが指定されると（ステップＳ５０３：Ｙｅｓ）、ステップＳ５０６に移行する。一方、楽曲データが指定されない場合は（ステップＳ５０３：Ｎｏ）、おすすめメロディモードが指定されたか否かを判断する（ステップＳ５０４）。おすすめメロディモードとは、ユーザの嗜好に適合した楽曲データを自動的に選択するモードである。
【００５３】
ナビゲーション装置３００では、楽曲データの録音時にキー、ビート、コード、音圧などから曲調を自動的に検出し、データ化している。このように曲調を分類することによって、「明るい、ノリがいい、静かな、かなしい、癒される」など、その時々のシチュエーションに適合した楽曲を自動的に選曲することができる。加えて、楽曲データの利用履歴を、その日の天気や目的地点、時刻などの要素から分析し、ユーザの嗜好に適合した楽曲を選択することができる。
【００５４】
おすすめメロディモードが指定されると（ステップＳ５０４：Ｙｅｓ）、ＣＰＵ４０１は、ユーザの嗜好に適合した楽曲データを選択する（ステップＳ５０５）。おすすめメロディモードが指定されない場合は（ステップＳ５０４：Ｎｏ）、ステップＳ５０２に戻り、以降の処理を継続する。
【００５５】
ステップＳ５０２で楽曲データが指定、または、ステップＳ５０４で楽曲データが選択されると、ＣＰＵ４０１は、着信メロディを利用する携帯電話端末３５０の機種情報があるか否かを判断する（ステップＳ５０６）。携帯電話端末３５０の機種情報は、たとえば、ユーザの携帯電話端末３５０の機種を、ユーザ情報としてあらかじめ登録しておいてもよいし、ナビゲーション本体部３１０に携帯電話端末３５０が接続されている場合には、自動的に機種を識別してもよい。
【００５６】
機種情報がある場合は（ステップＳ５０６：Ｙｅｓ）、ステップＳ５０９に移行する。一方、機種情報がない場合は（ステップＳ５０６：Ｎｏ）、携帯電話端末３５０の機種を指定する機種指定画面を表示して（ステップＳ５０７）、機種が指定されるまで待機し（ステップＳ５０８：Ｎｏのループ）、機種が指定されると（ステップＳ５０８：Ｙｅｓ）、ステップＳ５０９に移行する。
【００５７】
つづいて、ＣＰＵ４０１は指定された楽曲データを読み出して（ステップＳ５０９）、楽曲データのサビ部分を抽出する（ステップＳ５１０）。サビ部分の抽出は、前述した楽曲データの録音時に検出した曲調のデータを用いておこなう。このとき、抽出するサビ部分の長さを指定できることとしてもよい。また、サビ部分以外の部分（たとえば、イントロ部分）などを指定して、楽曲データから抽出してもよい。
【００５８】
そして、抽出したサビ部分の楽曲データを携帯電話端末３５０に合わせてフォーマット変換する（ステップＳ５１１）。携帯電話端末３５０は、機種ごとに再生可能な楽曲データのフォーマットが異なる場合がある。ステップＳ５１１では、携帯電話端末３５０の機種に合わせて楽曲データのフォーマットを変換し、着信メロディデータとして利用可能な形式とする。
【００５９】
つづいて、フォーマット変換した楽曲データ（着信メロディデータ）を携帯電話端末３５０に出力して（ステップＳ５１２）、本フローチャートによる処理を終了する。携帯電話端末３５０への出力は、たとえば、通信ケーブルや赤外線通信、Ｂｌｕｅｔｏｏｔｈ（登録商標）などを用いておこなう。また、ＰＣ３６０で本処理をおこなっている場合は、着信メロディデータをメールに添付して携帯電話端末３５０に送信してもよい。
【００６０】
図６は、着信メロディ生成時の画面表示例を示す説明図である。図６において、ナビゲーション装置３００のディスプレイ４１４には、着信メロディ生成のためのガイダンス表示６０１が表示されている。ガイダンス表示６０１には、楽曲データを指定する楽曲指定部６１１、携帯電話端末３５０の機種情報を選択する機種選択部６１２、その他の設定をおこなうオプション設定部６１３によって構成される。
【００６１】
楽曲指定部６１１には、記録ユニット３２０に記録された楽曲データや、ナビゲーション装置３００に接続された接続機器（たとえば、携帯楽曲再生端末）に記録されている楽曲データが表示される。また、ＰＣ３６０で着信メロディを生成する場合は、ＰＣ３６０に記録された楽曲データが表示される。なお、ユーザ自身によって楽曲データを選択せず、おすすめメロディモードによって楽曲を選択させた場合は、メロディモードボタン６２１を押下する。
【００６２】
機種選択部６１２には、登録済みの携帯電話端末３５０が表示される。登録されている携帯電話端末３５０のうち、いずれかを選択することによって、今回生成する着信メロディを利用する携帯電話端末３５０の機種を特定することができる。また、登録されていない携帯電話端末３５０については、ユーザが機種を選択したり、ナビゲーション装置３００と携帯電話端末３５０との間で機種情報を送受信することによって機種情報を取得する。
【００６３】
オプション設定部６１３には、着信メロディデータの長さを指定したり、曲調を変更するための設定画面が表示される。ユーザは、これらの設定をおこなうことによって、所望の着信メロディデータを得ることができる。
【００６４】
これらの設定が終了し、ＯＫボタン６３２を押下すると、着信メロディデータが生成され、携帯電話端末３５０に出力される。また、キャンセルボタン６３１を押下すると、着信メロディの生成をキャンセルし、前の画面に戻る。
【００６５】
以上説明したように、ナビゲーション装置３００によれば、手持ちの楽曲データから携帯電話端末３５０の着信メロディデータを生成することができる。これにより、ユーザの楽曲データを有効に利用することができ、着信メロディデータを別途購入する必要がない。
【００６６】
また、楽曲データのキー情報、ビート情報、コード情報、音量情報などを用いて、楽曲データの曲調を分析し、楽曲のサビ部分を抽出することによって、着信メロディに適した長さの楽曲データを抽出することができる。また、楽曲データの曲調と周囲の環境（天気や道路の混雑状況、時刻など）を組み合わせることによって、より詳細にユーザの嗜好を学習することができる。
【００６７】
さらに、ユーザの楽曲に対する嗜好を学習することによって、ユーザの嗜好に適合した着信メロディを提供することができると同時に、ユーザにとって意外性のある着信メロディを提供することができる。
【００６８】
なお、本実施の形態で説明したデータ処理方法は、あらかじめ用意されたプログラムをパーソナル・コンピュータやワークステーションなどのコンピュータで実行することにより実現することができる。このプログラムは、ハードディスク、フレキシブルディスク、ＣＤ−ＲＯＭ、ＭＯ、ＤＶＤなどのコンピュータで読み取り可能な記録媒体に記録され、コンピュータによって記録媒体から読み出されることによって実行される。またこのプログラムは、インターネットなどのネットワークを介して配布することが可能な伝送媒体であってもよい。
【図面の簡単な説明】
【００６９】
【図１】実施の形態にかかるデータ処理装置の機能的構成を示すブロック図である。
【図２】データ処理装置の楽曲データ処理手順を示すフローチャートである。
【図３】実施例にかかるナビゲーション装置の周辺機器構成を示す説明図である。
【図４】ナビゲーション装置のハードウェア構成を示すブロック図である。
【図５】ナビゲーション装置による着信メロディ生成処理の手順を示すフローチャートである。
【図６】着信メロディ生成時の画面表示例を示す説明図である。
【符号の説明】
【００７０】
１００  データ処理装置
１０１  取得部
１０２  抽出部
１０３  変換部
１０４  出力部
１０５  学習部
１１０  端末
【図１】
2007241123.tif 000003
【図２】
2007241123.tif 000004
【図３】
2007241123.tif 000005
【図４】
2007241123.tif 000006
【図５】
2007241123.tif 000007
【図６】
2007241123.tif 000008